(57)【要約】【課題】冷却効率を高めること。【解決手段】ラック本体と、複数の装置と、前側吸気部と、後側吸気部と、左右方向でラック本体の第１側に設けられる第１排気部とを含み、第１排気部は、複数の装置のうち第１の少なくとも１つの装置における第１側の側面に対して設けられ、前後方向に延在する第１前後ダクト部と、第２の少なくとも１つの装置における第１側の側面に対して設けられ、前後方向に延在する第２前後ダクト部と、第１前後ダクト部に連通し、上方に延在し、上側に開口する第１上下ダクト部と、第２前後ダクト部に連通し、第２前後ダクト部に対して左右方向でオフセットした位置で上方に延在し、上側に開口する第２上下ダクト部とを含む。【選択図】図６
2015138886.tif 000002
【特許請求の範囲】
【請求項１】
ラック本体と、
前記ラック本体内に上下方向に積層される態様で搭載される複数の装置と、
上下方向に直交する任意の方向を前後方向としたとき、前記ラック本体の前側に設けられる前側吸気部と、
前記ラック本体の後側に設けられる後側吸気部と、
上下方向及び前後方向の双方に直交する左右方向としたとき、左右方向で前記ラック本体の第１側に設けられる第１排気部とを含み、
前記第１排気部は、
前記複数の装置のうち第１の少なくとも１つの装置における前記第１側の側面に対して設けられ、前記第１の少なくとも１つの装置の排気口に連通し、前後方向に延在する第１前後ダクト部と
前記複数の装置のうち第２の少なくとも１つの装置における前記第１側の側面に対して設けられ、前記第２の少なくとも１つの装置の排気口に連通し、前後方向に延在する第２前後ダクト部と、
前記第１前後ダクト部に連通し、上方に延在し、上側に開口する第１上下ダクト部と、
前記第２前後ダクト部に連通し、前記第２前後ダクト部に対して左右方向でオフセットした位置で上方に延在し、上側に開口する第２上下ダクト部とを含む、ラック。
【請求項２】
前記第２上下ダクト部は、前記第１上下ダクト部に対して左右方向でオフセットした位置で上方に延在する、請求項１に記載のラック。
【請求項３】
前記第１前後ダクト部は、前記第１の少なくとも１つの装置の前後方向の一端から他端まで延在し、
前記第２前後ダクト部は、前記第２の少なくとも１つの装置の前後方向の一端から他端まで延在する、請求項１に記載のラック。
【請求項４】
前記第１排気部は、
前記複数の装置のうち第３の少なくとも１つの装置における前記第１側の側面に対して設けられ、前記第３の少なくとも１つの装置の排気口に連通し、前後方向に延在する第３前後ダクト部と、
前記第３前後ダクト部に連通し、前記第１上下ダクト部と同一の左右方向の位置で上方に延在し、上側に開口する第３上下ダクト部とを含む、請求項３に記載のラック。
【請求項５】
前記第２前後ダクト部は、前記第１前後ダクト部及び前記第３前後ダクト部よりも下方に配置され、
前記第２上下ダクト部は、前記第１上下ダクト部に対して左右方向で前記第１側にオフセットした位置で上方に延在する、請求項４に記載のラック。
【請求項６】
前記第２前後ダクト部は、前記第１前後ダクト部よりも下方に配置され、
前記第２上下ダクト部は、前記第１上下ダクト部を前記第１側、前側及び後側の３方から覆う態様で設けられる、請求項１に記載のラック。
【請求項７】
前記第１上下ダクト部及び前記第２上下ダクト部のそれぞれは、上下方向の長さと、水平方向に切断したときの断面積の自乗との比が同一である、請求項１〜６のうちのいずれか１項に記載のラック。
【請求項８】
左右方向の第２側の側面に対して設けられる第２排気部を含み、
前記第２排気部は、前記第１排気部に対して左右対称の構成を有する、請求項１〜７のうちのいずれか１項に記載のラック。
【発明の詳細な説明】
【技術分野】
【０００１】
本開示は、ラックに関する。
【背景技術】
【０００２】
従来から、排気ダクト内で互いに隣接するユニットの排気口間に、この排気口を覆う長さとダクト奥行き方向の間隔を埋める奥行きとを持つ仕切板をそれぞれ設けるロッカー型筺体の冷却装置が知られている（例えば、特許文献１参照）。
【先行技術文献】
【特許文献】
【０００３】
【特許文献１】特開2006-156871号公報
【発明の概要】
【発明が解決しようとする課題】
【０００４】
ところで、ラックにおいては、吸気の開口面積を効率的に増加し、冷却効率を高めることが有用である。
【０００５】
そこで、開示の技術は、冷却効率を高めることが可能なラックの提供を目的とする。
【課題を解決するための手段】
【０００６】
本開示の一局面によれば、ラック本体と、
前記ラック本体内に上下方向に積層される態様で搭載される複数の装置と、
上下方向に直交する任意の方向を前後方向としたとき、前記ラック本体の前側に設けられる前側吸気部と、
前記ラック本体の後側に設けられる後側吸気部と、
上下方向及び前後方向の双方に直交する左右方向としたとき、左右方向で前記ラック本体の第１側に設けられる第１排気部とを含み、
前記第１排気部は、
前記複数の装置のうち第１の少なくとも１つの装置における前記第１側の側面に対して設けられ、前記第１の少なくとも１つの装置の排気口に連通し、前後方向に延在する第１前後ダクト部と
前記複数の装置のうち第２の少なくとも１つの装置における前記第１側の側面に対して設けられ、前記第２の少なくとも１つの装置の排気口に連通し、前後方向に延在する第２前後ダクト部と、
前記第１前後ダクト部に連通し、上方に延在し、上側に開口する第１上下ダクト部と、
前記第２前後ダクト部に連通し、前記第２前後ダクト部に対して左右方向でオフセットした位置で上方に延在し、上側に開口する第２上下ダクト部とを含む、ラックが提供される。
【発明の効果】
【０００７】
本開示の技術によれば、冷却効率を高めることが可能なラックが得られる。
【図面の簡単な説明】
【０００８】
【図１】一例によるラック１の内部を概略的に示す側面図である。
【図２】ラック１の内部を概略的に示す上面図である。
【図３】ラック１に搭載される装置の内部の一例を示す上面図である。
【図４】ラック１における全体的な吸気及び排気態様を概略的に示す図である。
【図５】他の一例によるラック２の内部を概略的に示す正面図である。
【図６】ラック２の内部を概略的に示す側面図である。
【図７】ラック２内における装置と左側前後ダクト部と左側上下ダクト部との関係を概略的に示す図である。
【図８】左側排気部７２Ｌの一部の断面図である。
【図９】左側上下ダクト部の幾つかの例を示す図である。
【図１０】ラック２内における空気の流れを概略的に示す図である。
【図１１】ラック２内における空気の流れを概略的に示す図である。
【図１２】他の一例によるラック３の内部を概略的に示す正面図である。
【図１３】ラック３の内部を概略的に示す上面図の一例である。
【図１４】ラック３の内部を概略的に示す上面図の他の一例である。
【図１５】他の一例によるラック４の内部を概略的に示す正面図である。
【図１６】図１５のＸ部の拡大図である。
【図１７】他の一例によるラック５の内部を概略的に示す正面図である。
【図１８】ラック５の内部を概略的に示す側面図である。
【図１９】ラック５の内部を概略的に示す上面図である。
【図２０】他の一例によるラック６の内部を概略的に示す上面図である。
【発明を実施するための形態】
【０００９】
以下、添付図面を参照しながら各実施例について詳細に説明する。
【００１０】
図１は、一例によるラック１の内部を概略的に示す側面図である。図２は、ラック１の内部を概略的に示す上面図である。図３は、ラック１に搭載される装置の内部の一例を示す上面図である。図２には、ラック１の内部における空気の流れが薄灰色の矢印で模式的に示されている。
【００１１】
以下では、上下方向及び前後方向は、図１に示す方向とする。上下方向及び前後方向の双方に垂直な方向を左右方向（図２等参照）とする。「前面」とは、前側の面を指し、「背面」とは、後側の面を指す。また、「側面」とは、左右側の面を指す。尚、特に、前後方向及び左右方向は、説明の便宜上の定義であり、ラック１の搭載向きは任意である。
【００１２】
ラック１は、直方体（ボックス状）の外観を有する。ラック１は、ラック本体３０を含む。ラック本体３０は、例えばフレーム等により形成され、複数の装置が内部に搭載される装置搭載部を形成する。ラック本体３０は、例えば、４０Ｕ（１Ｕ＝１．７５［インチ］＝４４．４５［ｍｍ］）の高さの装置搭載部を形成し、高さ１Ｕ毎に装置が搭載可能である。図１に示す例では、ラック本体３０には、高さ１０Ｕの装置４１，４２，４３及び４４が４段で搭載される。尚、１段に複数の装置が搭載されてもよい。この場合、説明の複雑化を防止する観点から、便宜上、１段に搭載される複数の装置を「１つの装置」と考えることとする。
【００１３】
ラック１は、ラック本体３０の前側に前側吸気部１０を備える。前側吸気部１０は、ラック１の前面から外気をラック１内に取り込む。前側吸気部１０は、図１及び図２に示すように、好ましくは、大きな吸気面積を得るために、ラック本体３０の前面の全体に亘って形成される。但し、前側吸気部１０は、ラック本体３０の前面の一部に対して設けられてもよい。尚、ラック１は、ラック１の前面を形成する扉２０を備えてよく、前側吸気部１０は、扉２０とラック本体３０の前面との間の空間により形成されてよい。この場合、扉２０は、吸気のための開口（穴）を備える。
【００１４】
ラック１は、ラック本体３０の後側に後側吸気部１２を備える。後側吸気部１２は、ラック１の背面から外気をラック１内に取り込む。後側吸気部１２は、図１及び図２に示すように、好ましくは、大きな吸気面積を得るために、ラック本体３０の背面の全体に亘って設けられる。但し、後側吸気部１２は、ラック本体３０の背面の一部に対して設けられてもよい。尚、ラック１は、ラック１の背面を形成する扉２２を備えてよく、後側吸気部１２は、扉２２とラック本体３０の背面との間の空間により形成されてよい。この場合、扉２２は、吸気のための開口（穴）を備える。
【００１５】
ラック１は、ラック本体３０の左側に左側排気部７１Ｌを備える。左側排気部７１Ｌは、ダクトの形態であってよく、装置４１，４２，４３及び４４の左側面の排気口５５Ｌ（図３参照）に連通する。左側排気部７１Ｌは、ラック本体３０の左側で上下方向に延在し、上側に開口を有する。即ち、左側排気部７１Ｌは、天井側に開口する。これにより、装置４１，４２，４３及び４４内の空気は、装置４１，４２，４３及び４４の左側面から左側排気部７１Ｌを介してラック１の上部から排気される。
【００１６】
ラック１は、ラック本体３０の右側に右側排気部７１Ｒを備える。右側排気部７１Ｒは、ダクトの形態であってよく、装置４１，４２，４３及び４４の右側面の排気口５５Ｒ（図３参照）に連通する。右側排気部７１Ｒは、ラック本体３０の右側で上下方向に延在し、上側に開口を有する。即ち、右側排気部７１Ｒは、天井側に開口する。これにより、装置４１，４２，４３及び４４内の空気は、装置４１，４２，４３及び４４の右側面から右側排気部７１Ｒを介してラック１の上部から排気される。
【００１７】
装置４１は、図３に示すように、筐体フレーム５１を含む。筐体フレーム５１は、ケースの形態であり、左側面に排気口５５Ｌと、右側面に排気口５５Ｒとを含む。筐体フレーム５１は、前面及び背面にも同様の開口部（吸気用）を含んでよい。
【００１８】
排気口５５Ｌ及び排気口５５Ｒのそれぞれには、図３に示すように、冷却ファン５８が設けられる。冷却ファン５８は、例えば、左右方向に回転軸が向く向きで配置される。冷却ファン５８は、排気口５５Ｌ及び排気口５５Ｒ以外の箇所にも設けられてよい。
【００１９】
筐体フレーム５１内には、図３に示すように、ＰＳＵ（Power Supply Unit）５０、マザーボード５２、ハードディスクドライブ（ＨＤＤ：Hard Disk Drive）５６等が設けられる。ＰＳＵ５０は、交流から直流への電力変換等を行う。ＰＳＵ５０は、マザーボード５２やハードディスクドライブ５６等のような、装置４１内の電子部品に対する電源として機能する。
【００２０】
筐体フレーム５１内には、図３に示すように、冷却誘導板５９が設けられる。冷却誘導板５９は、装置４１の前面及び背面から取り込んだ空気が所望の態様で装置４１内を流れるようにするために設けられる。即ち、冷却誘導板５９は、必要な箇所に必要な風量の空気が供給されるように、装置４１の前面及び背面から取り込んだ空気の流れ方向を規制する。冷却誘導板５９は、図３に示すように、上面視で十字型を形成するように配置されてもよい。
【００２１】
筐体フレーム５１の後側には、外部機器との接続用の接続コネクタ５７が設けられる。
【００２２】
尚、図３には、装置４１の構成が示されているが、他の装置４２，４３及び４４についても同様であってよい。
【００２３】
図４は、ラック１における全体的な吸気及び排気態様を概略的に示す図である。
【００２４】
図４にて矢印で模式的に示すように、吸気は、ラック１の前面側及び背面側の双方から実現される。ラック１の前面側及び背面側からラック１内に取り込まれた空気（冷気を含む空気）は、ラック本体３０内の装置４１，４２，４３及び４４の冷却に供される。具体的には、図２にて矢印で模式的に示すように、ラック１の前面側及び背面側からラック１内に取り込まれた空気は、先ず、装置４１の前面側及び背面側から装置４１内に取り込まれる。装置４１内に取り込まれた空気は、図２にて矢印で模式的に示すように、冷却誘導板５９及び冷却ファン５８の作用により、左右の排気口５５Ｌ及び５５Ｒから装置４１の外部へと排出される。即ち、装置４１内に取り込まれた空気は、装置４１の電子部品等の冷却に供され、排気口５５Ｌ及び排気口５５Ｒから左側排気部７１Ｌ及び右側排気部７１Ｒへと排出される。左右の排気口５５Ｌ及び５５Ｒから左側排気部７１Ｌ及び右側排気部７１Ｒへと排出された空気は、上方に流れ、図４にて矢印で模式的に示すように、ラック１の天井側から外部へと排出される。
【００２５】
このように図１乃至図４に示すラック１によれば、ラック１の前面側及び背面側の双方から吸気が実現されるので、比較的大きな吸気用の開口面積を確保することができる。また、ラック本体３０の両側面に対して左側排気部７１Ｌ及び右側排気部７１Ｒを設けて上方に向けて排気を行うので、比較的大きな排気用の開口面積を確保することができる。これにより、効率的な冷却を実現することが可能となる。
【００２６】
より具体的には、図１乃至図４に示すラック１によれば、前面吸気及び背面排気型のラックに比べて、吸気用の開口面積を約２倍にすることができる。これに伴い、装置４１乃至４４に対する吸気面積を約２倍にすることができる。
【００２７】
また、図１乃至図４に示すラック１によれば、ラック本体３０の両側面から排気が可能となるので、前面吸気及び背面排気型のラックに比べて、装置４１乃至４４のそれぞれに実装可能な冷却ファン５８の数量を増加することが可能となる。その結果、小型の冷却ファン５８の使用が可能となり、冷却ファン５８の電力や騒音の低減が可能となる。
【００２８】
また、前面吸気及び背面排気型のラックのデータセンターへの設置時は、吸気側と排気側の空調の分離が難しいという問題があったが、図１乃至図４に示すラック１によれば、前面と背面が吸気側で、排気は天井側だけになる。これにより、空調の分離の簡素化が可能となる。また、前面吸気及び背面排気型のラックでは、排気側のメンテナンス時は、環境温度の吸気側から温度上昇(例えば約＋20℃)した熱風が、直接サービスマンに当たるという影響を与えていた。これに対して、図１乃至図４に示すラック１によれば、前面と背面が吸気側となるため、環境温度でのメンテナンスが可能となり、サービスマンの作業環境の改善につながる。
【００２９】
図５は、他の一例によるラック２の内部を概略的に示す正面図である。図６は、ラック２の内部を概略的に示す側面図である。
【００３０】
ラック２は、４０個の装置１０１乃至１４０が搭載される点が、上述したラック１と異なる。また、ラック２は、左側排気部７２Ｌ及び右側排気部７２Ｒが、上述したラック１と異なる。他の構成（例えば前側吸気部１０、後後側吸気部１２及びラック本体３０）は、同様であってよい。
【００３１】
ラック２は、４０個の装置１０１乃至１４０が搭載される。上から一段目には、装置１０１が搭載され、上から２段目には、装置１０２が搭載され、以下同様である。装置１０１乃至１４０の構成自体は、高さを除いて、上述した装置４１等と実質的に同様であってよい。ここでは、一例として、装置１０１乃至１４０のそれぞれの高さは、１Ｕであるとする。従って、装置１０１乃至１４０の全体としての高さは、４０Ｕである。
【００３２】
ラック２は、図６に示すように、上述したラック１と同様、前側吸気部１０及び後側吸気部１２を含む。ラック２は、上述したラック１と同様、前側吸気部１０及び後側吸気部１２を介して外気を内部に取り込む。
【００３３】
左側排気部７２Ｌは、図５に示すように、左側前後ダクト部７０１Ｌ乃至７４０Ｌと、左側上下ダクト部８０１Ｌ乃至８４０Ｌとを含む。
【００３４】
右側排気部７２Ｒは、図５に示すように、右側前後ダクト部７０１Ｒ乃至７４０Ｒと、右側上下ダクト部８０１Ｒ乃至８４０Ｒとを含む。
【００３５】
以下では、代表として、左側排気部７２Ｌについて詳細に説明するが、右側排気部７２Ｒについても同様である。右側排気部７２Ｒは、左側排気部７２Ｌに対して左右対称な関係を有する。
【００３６】
左側前後ダクト部７０１Ｌ乃至７４０Ｌは、互いに対して連通しない。左側前後ダクト部７０１Ｌ乃至７４０Ｌは、図６に示すように、装置１０１乃至１４０のそれぞれの左側面にそれぞれ設けられる。即ち、左側前後ダクト部７０１Ｌは、装置１０１の左側面に設けられ、左側前後ダクト部７０２Ｌは、装置１０２の左側面に設けられ、以下同様である。
【００３７】
左側前後ダクト部７０１Ｌ乃至７４０Ｌは、それぞれ、装置１０１乃至１４０のそれぞれの左側面に形成される排気口５５Ｌに連通する（図７及び図８参照）。即ち、左側前後ダクト部７０１Ｌは、装置１０１の排気口５５Ｌに連通し、左側前後ダクト部７０２Ｌは、装置１０２の排気口５５Ｌに連通し、以下同様である。
【００３８】
左側前後ダクト部７０１Ｌ乃至７４０Ｌは、図６に示すように、それぞれ、前後方向に延在する。左側前後ダクト部７０１Ｌ乃至７４０Ｌは、好ましくは、それぞれ、装置１０１乃至１４０のそれぞれの前後方向の寸法と略同一の前後方向の寸法を有する。また、左側前後ダクト部７０１Ｌ乃至７４０Ｌは、好ましくは、それぞれ、装置１０１乃至１４０のそれぞれの上下方向の寸法（本例では１Ｕ）と略同一の上下方向の寸法を有する。この場合、左側前後ダクト部７０１Ｌ乃至７４０Ｌは、図６に示すように、上下方向に隙間無く積層される態様で配置される。
【００３９】
左側前後ダクト部７０１Ｌ乃至７４０Ｌは、それぞれ、開口７０１１Ｌ乃至７４０１Ｌを有する。左側前後ダクト部７０１Ｌ乃至７４０Ｌは、それぞれ、開口７０１１Ｌ乃至７４０１Ｌを介して、左側上下ダクト部８０１Ｌ乃至８４０Ｌにそれぞれ連通する。即ち、左側前後ダクト部７０１Ｌは、開口７０１１Ｌを介して左側上下ダクト部８０１Ｌに連通し、左側前後ダクト部７０２Ｌは、開口７０２１Ｌを介して左側上下ダクト部８０２Ｌに連通し、以下同様である。
【００４０】
左側前後ダクト部７０１Ｌ乃至７４０Ｌは、それぞれ、開口７０１１Ｌ乃至７４０１Ｌ及び装置１０１乃至１４０の排気口５５Ｌとの連通部を除いて、閉塞される。即ち、左側前後ダクト部７０１Ｌ乃至７４０Ｌは、それぞれ、閉じた断面で形成され、開口７０１１Ｌ乃至７４０１Ｌ及び装置１０１乃至１４０の排気口５５Ｌとの連通部においてのみ開口を有する。
【００４１】
開口７０１１Ｌ乃至７４０１Ｌは、図６に示すように、前後方向にオフセットする態様で設けられる。図６に示す例では、装置１０１乃至１４０を１０個ずつ４つのグループに分け、開口７０１１Ｌ乃至７４０１Ｌは、各グループ内において前後方向でオフセットされる。具体的には、一番上のグループについては、開口７０２１Ｌは開口７０１１Ｌに対して前方向にオフセットされ、開口７０３１Ｌは開口７０２１Ｌに対して前方向でオフセットされ、・・・、開口７１０１Ｌは開口７０９１Ｌに対して前方向にオフセットされる。それぞれのオフセット量は、開口７０１１Ｌ乃至７４０１Ｌの前後方向の長さと略同一であってよい。２番目のグループについては、開口７１２１Ｌは開口７１１１Ｌに対して前方向にオフセットされ、開口７１３１Ｌは開口７１２１Ｌに対して前方向でオフセットされ、・・・、開口７２０１Ｌは開口７１９１Ｌに対して前方向にオフセットされる。このとき、前後方向における開口７１１１Ｌの位置は、前後方向における開口７０１１Ｌの位置と同じである。このようにして、グループ毎に周期的に開口７０１１Ｌ乃至７４０１Ｌが前後方向にオフセットして形成される。
【００４２】
尚、図６に示す例では、開口７０１１Ｌ乃至７４０１Ｌは、規則的にオフセットされているが、不規則的なオフセット態様であってよい。例えば、開口７０１１Ｌの位置及び開口７０２１Ｌの位置とは逆であってもよい。但し、この場合、開口７０１１Ｌ及び開口７０２１Ｌにそれぞれ対応する左側上下ダクト部８０１及び８０２Ｌは前後方向で逆になる。
【００４３】
左側上下ダクト部８０１Ｌ乃至８４０Ｌは、互いに対して連通しない。左側上下ダクト部８０１Ｌ乃至８４０Ｌは、ラック２の上部まで上方に延在し、上側に開口を有する。即ち、左側上下ダクト部８０１Ｌ乃至８４０Ｌは、天井側に開口する。これにより、装置１０１乃至１４０内の空気は、装置１０１乃至１４０の左側面から左側排気部７２Ｌを介してラック２の上部から排気される。
【００４４】
左側上下ダクト部８０１Ｌ乃至８４０Ｌは、上述の如く、それぞれ、下端側が開口７０１１Ｌ乃至７４０１Ｌのそれぞれに接続される。即ち、左側上下ダクト部８０１Ｌは、開口７０１１Ｌに接続され、左側上下ダクト部８０２Ｌは、開口７０２１Ｌに接続され、以下同様である。左側上下ダクト部８０１Ｌ乃至８４０Ｌの前後方向の寸法は、開口７０１１Ｌ乃至７４０１Ｌの前後方向の寸法と略同一に設定される。
【００４５】
左側上下ダクト部８０１Ｌ乃至８４０Ｌは、それぞれ、対応する左側前後ダクト部７０１Ｌ乃至７４０Ｌに対して左側にオフセットした位置で上下方向に延在する。即ち、左側上下ダクト部８０１Ｌは、左側前後ダクト部７０１Ｌに対して左側にオフセットし、左側上下ダクト部８０２Ｌは、左側前後ダクト部７０２Ｌに対して左側にオフセットし、以下同様である。左側上下ダクト部８０１Ｌ乃至８４０Ｌは、それぞれ、対応する左側前後ダクト部７０１Ｌ乃至７４０Ｌのそれぞれの左側面に接続される。
【００４６】
左側上下ダクト部８０１Ｌ乃至８４０Ｌは、対応する開口７０１１Ｌ乃至７４０１Ｌの前後方向の位置に対応した前後方向の位置で上下方向に延在する。即ち、左側上下ダクト部８０１Ｌは、開口７０１１Ｌの前後方向の位置に対応した前後方向の位置で上下方向に延在し、左側上下ダクト部８０２Ｌは、開口７０２１Ｌの前後方向の位置に対応した前後方向の位置で上下方向に延在し、以下同様である。このようにして、左側上下ダクト部８０１Ｌ乃至８１０Ｌは、開口７０１１Ｌ乃至７１０１Ｌのオフセット態様と同様、互いに対して前後方向でオフセットして配置される。また、左側上下ダクト部８１１Ｌ乃至８２０Ｌは、開口７１１１Ｌ乃至７２０１Ｌのオフセット態様と同様、互いに対して前後方向でオフセットして配置され、以下同様である。
【００４７】
左側上下ダクト部８０１Ｌ乃至８４０Ｌは、各グループ内では、同一の左右方向の位置で上下方向に延在する。具体的には、一番上のグループの左側上下ダクト部８０１Ｌ乃至８１０Ｌは、同一の左右方向の位置で上下方向に延在し、２番目のグループの左側上下ダクト部８１１Ｌ乃至８２０Ｌは、同一の左右方向の位置で上下方向に延在し、以下同様である。
【００４８】
左側上下ダクト部８０１Ｌ乃至８４０Ｌは、グループ毎に異なる左右方向の位置で上下方向に延在する。図５に示す例では、一番上のグループの左側上下ダクト部８０１Ｌ乃至８１０Ｌは、左側前後ダクト部７０１Ｌ乃至７１０Ｌの左側面に隣接して配置される。２番目のグループの左側上下ダクト部８１１Ｌ乃至８２０Ｌは、それぞれ、左側上下ダクト部８０１Ｌ乃至８１０Ｌの左側面に隣接して配置される。３番目のグループの左側上下ダクト部８２１Ｌ乃至８３０Ｌは、左側上下ダクト部８１１Ｌ乃至８２０Ｌの左側面に隣接して配置される。４番目のグループの左側上下ダクト部８３１Ｌ乃至８４０Ｌは、左側上下ダクト部８２１Ｌ乃至８３０Ｌの左側面に隣接して配置される。
【００４９】
尚、左側上下ダクト部８０１Ｌ乃至８３０Ｌの下端は、下側のグループの左側上下ダクト部８２１Ｌ乃至８４０Ｌの各接続部（図７の８１１２Ｌ等参照）と干渉しないように形成される。例えば、左側上下ダクト部８０１Ｌ乃至８４０Ｌは、対応する開口７０１１Ｌ乃至７４０１Ｌの位置で下端側が終端するように形成される。
【００５０】
図７は、ラック２内における装置１０１乃至１４０と左側前後ダクト部７０１Ｌ乃至７４０Ｌと左側上下ダクト部８０１Ｌ乃至８４０Ｌとの関係を概略的に示す図である。尚、図７においては、代表として、装置１０１，１０２，１１１及び１１２に関する構成のみを抜き出して示す。また、図７においては、装置１０１，１０２，１１１及び１１２については、左側の一部のみ（但し、前後方向の長さは全長）が模式的に示されている。尚、図７においては、装置１０１，１０２，１１１及び１１２は、図３に示した装置４１とは異なり、左側面に冷却ファン５８を１つだけそれぞれを備えるが、この相違点は本質的でない。また、装置１０１，１０２，１１１及び１１２は、図３に示した装置４１とは異なり、左側面に排気口５５Ｌを１つだけそれぞれを備えるが、この相違点は本質的でない。
【００５１】
図７に示す例では、左側前後ダクト部７０１Ｌ等は、装置１０１等と同一の高さ１Ｕを有する。また、左側前後ダクト部７０１Ｌ等は、装置１０１等と同一の前後方向の寸法を有する。左側前後ダクト部７０１Ｌ等の左右方向の寸法は、任意である。
【００５２】
尚、前面吸気及び背面排気型のラックでは、高さ１Ｕ当たりの開口面積は、４２０［ｍｍ］×４４（１Ｕ）×０．５×０．６=５，５４４［ｍｍ２］となる。ここで、４２０［ｍｍ］は、前面吸気及び背面排気型のラックの左右方向の幅であり、０．５は開口可能面積率であり、０．６は開口率である。これと同様の開口面積を実現するには、開口７０１１Ｌ等は、高さが４０［ｍｍ］であるとすると、以下の式から、前後方向の寸法が７０［ｍｍ］となる。
５，５４４(開口面積)÷４０(開口高さ)÷２(両側面)=７０［ｍｍ］(開口幅)
これに対応して、左側上下ダクト部８０１Ｌ等の下端の開口は、高さが４０［ｍｍ］以上で前後方向の寸法が７０［ｍｍ］以上であればよい。
【００５３】
左側上下ダクト部８０１Ｌ等は、前後方向の寸法が７０＋α［ｍｍ］である。αは、所定のマージンである。左側上下ダクト部８０１Ｌは、高さが１Ｕ［ｍｍ］であり、左側上下ダクト部８０２Ｌは、高さが２Ｕ［ｍｍ］であり、左側上下ダクト部８１１Ｌは、高さが１１Ｕ［ｍｍ］であり、左側上下ダクト部８１２Ｌは、高さが１２Ｕ［ｍｍ］である。このようにして、左側上下ダクト部８０１Ｌ乃至８４０Ｌは、対応する装置１０１乃至１４０の位置に応じた高さを有し、上端は同一の高さに設定される。
【００５４】
左側上下ダクト部８１１Ｌは、上下方向に延在する本体部８１１１Ｌと、左右方向にオフセットするための接続部８１１２Ｌとを含む。接続部８１１２Ｌは、上のグループの左側上下ダクト部８０１Ｌ等に対して本体部８１１１Ｌを左方向にオフセットさせるために設けられる。この目的のため、接続部８１１２Ｌは、左側上下ダクト部８０１Ｌの左右方向の寸法Ｗ［ｍｍ］と略同一の左右方向の寸法Ｗ［ｍｍ］を有する。同様に、左側上下ダクト部８１２Ｌは、上下方向に延在する本体部８１２１Ｌと、左右方向にオフセットするための接続部８１２２Ｌとを含む。
【００５５】
尚、図示は省略するが、上から３番目のグループの左側上下ダクト部８２１Ｌ乃至８３０Ｌは、左右方向の寸法が２Ｗ［ｍｍ］の接続部を有する。また、上から４番目のグループの左側上下ダクト部８３１Ｌ乃至８４０Ｌは、左右方向の寸法が３Ｗ［ｍｍ］の接続部を有する。
【００５６】
尚、図７に示す例では、接続部８１１２Ｌは、左側上下ダクト部８１１Ｌに含まれているが、左側前後ダクト部７１１Ｌに形成されてもよい。接続部８１２２Ｌ等についても同様である。
【００５７】
図８は、正面視による左側排気部７２Ｌの一部の断面図である。尚、図８においては、代表として、装置１０１及び１１１に関する構成のみを抜き出して示す。
【００５８】
図８に示す例では、左側前後ダクト部７０１Ｌは、装置１０１の左側面（筐体フレーム５１）と協動して矩形の閉断面を形成する。左側前後ダクト部７０１Ｌは、好ましくは、装置１０１の左側面に密着される。左側前後ダクト部７０１Ｌと装置１０１の左側面との間には、シール部材（図示せず）が設けられてもよい。また、左側前後ダクト部７０１Ｌと装置１０１の左側面との間には、ラック本体３０の左側面板が介在してもよい。この場合、ラック本体３０の左側面板には、装置１０１の排気口５５Ｌに対応した位置に開口が形成される。
【００５９】
左側前後ダクト部７１１Ｌは、装置１１１の左側面と協動して矩形の閉断面を形成する。左側前後ダクト部７１１Ｌは、好ましくは、装置１１１の左側面に密着される。左側前後ダクト部７１１Ｌと装置１１１の左側面との間には、シール部材（図示せず）が設けられてもよい。同様に、左側前後ダクト部７１１Ｌと装置１１１の左側面との間には、ラック本体３０の左側面板が介在してもよい。この場合、ラック本体３０の左側面板には、装置１１１の排気口５５Ｌに対応した位置に開口が形成される。
【００６０】
左側上下ダクト部８０１Ｌは、左側前後ダクト部７０１Ｌの左側面に隣接して設けられる。左側上下ダクト部８０１Ｌは、左側前後ダクト部７０１Ｌの左側面の開口７０１１Ｌを介して左側前後ダクト部７０１Ｌと連通する。
【００６１】
左側上下ダクト部８１１Ｌは、左側前後ダクト部７１１Ｌの左側面に隣接して設けられる。左側上下ダクト部８１１Ｌは、左側前後ダクト部７１１Ｌの左側面の開口７１１１Ｌを介して左側前後ダクト部７１１Ｌと連通する。左側上下ダクト部８１１Ｌは、左右方向の長さがＷ［ｍｍ］の接続部８１１２Ｌを有する。これにより、左側上下ダクト部８１１Ｌの本体部８１１１Ｌは、左側上下ダクト部８０１Ｌに対して左方向にオフセットした位置で上方に延在することができる。
【００６２】
図９は、左側上下ダクト部の幾つかの例を示す図であり、（Ａ）は、別体構成を示し、（Ｂ）は、一体構成を示し、（Ｃ）は、仕切り板を用いた一体構成を示す。図９では、代表として、上から２番目のグループの左側上下ダクト部８１１Ｌ乃至８２０Ｌの構成について説明するが、他のグループについても同様であってよい。尚、図９においては、左側上下ダクト部８１１Ｌ乃至８２０Ｌの各接続部８１１１Ｌ等については図示は省略されている。
【００６３】
左側上下ダクト部８１１Ｌ乃至８２０Ｌは、図９（Ａ）に示すように、それぞれ別々のダクト部材により形成されてもよい。或いは、左側上下ダクト部８１１Ｌ乃至８２０Ｌは、図９（Ｂ）に示すように、前後方向で隣接する面を共用するダクト部材で一体的に形成されてもよい。或いは、左側上下ダクト部８１１Ｌ乃至８２０Ｌは、図９（Ｃ）に示すように、共通な高さ（＝１０Ｕ［ｍｍ］）を持ち且つ前後方向で隣接する面を共用するダクト部材内に、高さ方向の仕切り板８７０を設けることで形成されてもよい。各仕切り板８７０は、上下方向にオフセットされて設けられる。
【００６４】
尚、図９に示す例は、左側上下ダクト部に関するものであるが、左側前後ダクト部７０１Ｌ乃至７４０Ｌについても同様である。例えば、左側前後ダクト部７０１Ｌ乃至７４０Ｌは、別体構成であってもよいし、上下方向の仕切り板を介した一体構成であってもよい。また、左側前後ダクト部７０１Ｌ乃至７４０Ｌのうちの隣接する２つ以上の左側前後ダクト部が、上下方向の仕切り板を介した一体構成を有してもよい。
【００６５】
図１０及び図１１は、ラック２内における空気の流れを概略的に示す図であり、図１０は、正面視を示し、図１１は、側面視を示す。
【００６６】
ラック２の前面側及び背面側からラック２内に取り込まれた空気（冷気を含む空気）は、装置１０１乃至１４０の冷却に供される。装置１０１乃至１４０の冷却に供された空気は、冷却ファン５８の作用により、図１０に矢印にて模式的に示すように、装置１０１乃至１４０の左側面から左側前後ダクト部７０１Ｌ乃至７４０Ｌへと排出される。左側前後ダクト部７０１Ｌ乃至７４０Ｌへと排出された空気は、図１１に矢印にて模式的に示すように、左側上下ダクト部８０１Ｌ乃至８４０Ｌを通ってラック２の上部から排気される。尚、ここでは、左側排気部７２Ｌによる吸気及び排気態様を説明したが、右側排気部７２Ｒによる吸気及び排気態様についても同様である。
【００６７】
図５乃至図１１に示すラック２によれば、上述したラック１と同様、ラック２の前面側及び背面側の双方から吸気が実現されるので、比較的大きな吸気用の開口面積を確保することができる。また、ラック本体３０の両側面に対して左側排気部７２Ｌ及び右側排気部７２Ｒを設けて上方に向けて排気を行うので、比較的大きな排気用の開口面積を確保することができる。これにより、効率的な冷却を実現することが可能となる。
【００６８】
また、図５乃至図１１に示すラック２によれば、左側前後ダクト部７０１Ｌ乃至７４０Ｌが設けられるので、左側上下ダクト部８０１Ｌ乃至８４０Ｌの前後方向の配置自由度が高くなる。即ち、左側前後ダクト部７０１Ｌ乃至７４０Ｌは、上述の如く、前後方向に延在するので、左側上下ダクト部８０１Ｌ乃至８４０Ｌの前後方向の配置自由度が高くなる。従って、左側上下ダクト部８０１Ｌ乃至８１０Ｌは、前後方向にオフセットしながら同一の左右位置で上方に延在することができる。これは、他のグループの左側上下ダクト部（例えば、左側上下ダクト部８１１Ｌ乃至８２０Ｌ）についても同様である。これにより、左側上下ダクト部８０１Ｌ乃至８４０Ｌを効率的に配置することができ、ラック２の小型化を図りつつ、効率的な冷却を実現することが可能となる。
【００６９】
また、図５乃至図１１に示すラック２によれば、左側上下ダクト部８０１Ｌ乃至８４０Ｌは、それぞれ、対応する左側前後ダクト部７０１Ｌ乃至７４０Ｌに対して左側にオフセットして設けられる。これにより、左右方向のスペースを効率的に利用して、左側前後ダクト部７０１Ｌ乃至７４０Ｌ及び左側上下ダクト部８０１Ｌ乃至８４０Ｌを配置することができる。但し、左側上下ダクト部８０１Ｌ乃至８１０Ｌは、左側前後ダクト部７０１Ｌ乃至７１０Ｌに対して左側にオフセットせずに、左側前後ダクト部７０１Ｌ乃至７１０の上面に接続されてもよい。この場合、左側上下ダクト部８０１Ｌ乃至８１０Ｌの幅Ｗ分だけ左側排気部７２Ｌの左右方向の幅を低減することができる。
【００７０】
また、図５乃至図１１に示すラック２では、左側前後ダクト部７０１Ｌ乃至７４０Ｌは、前後方向で装置１０１乃至１４０の一端から他端まで延在している。かかる構成では、左側前後ダクト部７０１Ｌ乃至７１０Ｌは、開口７０１１Ｌ乃至７０１１Ｌの位置を除いてそれぞれ同一の構成となるので、製造性の観点からは有利となる。また、かかる構成では、装置１０１乃至１４０の排気口５５Ｌが前後方向の如何なる位置に形成されていても対応することができる。即ち、装置１０１乃至１４０の排気口５５Ｌの前後方向の位置の自由度が高くなる。但し、左側前後ダクト部７０１Ｌ乃至７４０Ｌは、それぞれ、少なくとも、対応する装置１０１乃至１１０の排気口５５Ｌから、対応する左側上下ダクト部８０１Ｌ乃至８１０Ｌまで前後方向に延在する構成であればよい。
【００７１】
また、図５乃至図１１に示すラック２によれば、左側上下ダクト部８０１Ｌ乃至８４０Ｌは、グループ毎に同一の左右方向の位置で上方に延在する一方、異なるグループに対しては左右方向でオフセットして上方に延在する。これにより、左右方向のスペースを効率的に利用して、多数組の左側前後ダクト部及び左側上下ダクト部を配置することができる。
【００７２】
尚、図５乃至図１１に示すラック２は、４０個の装置１０１乃至１４０が搭載されているので、４０個の装置１０１乃至１４０を１０個ずつ４グループに分割して、グループ毎に、左側上下ダクト部８０１Ｌ乃至８４０Ｌが前後方向にオフセットされている。しかしながら、左右方向の寸法の制約や排気能力の制約に応じた態様で左側上下ダクト部が配置されればよい。例えば、１つの装置当たりの排気能力が低減するが、開口７０１１Ｌ乃至７４０１Ｌの前後方向の寸法を半減し、４０個の装置１０１乃至１４０を２０個ずつの２グループに分割してもよい。この場合、左側上下ダクト部８０１Ｌ乃至８４０Ｌの全体としての左右方向の幅は、２Ｗ［ｍｍ］となるので、図７に示す構成に比べてラック２の左右方向の寸法を低減することができる。或いは、逆に、１つの装置当たりの排気能力を増加するために、開口７０１１Ｌ乃至７４０１Ｌの前後方向の寸法を倍増し、４０個の装置１０１乃至１４０を５個ずつの８グループに分割してもよい。但し、この場合、左側上下ダクト部８０１Ｌ乃至８４０Ｌの全体としての左右方向の幅は、８Ｗ［ｍｍ］となるので、図７に示す構成に比べてラック２の左右方向の寸法が増加する。
【００７３】
また、図５乃至図１１に示すラック２では、装置１０１乃至１４０のそれぞれに対して、左側前後ダクト部７０１Ｌ乃至７４０Ｌ及び左側上下ダクト部８０１Ｌ乃至８４０Ｌがそれぞれ設けられる。即ち、ラック２では、１Ｕ毎に１組の左側前後ダクト部及び左側上下ダクト部が設けられている。しかしながら、任意の高さ毎に１組の左側前後ダクト部及び左側上下ダクト部が設けられてもよい。例えば、２Ｕ毎に１組の左側前後ダクト部及び左側上下ダクト部が設けられてもよいし、３Ｕ毎に１組の左側前後ダクト部及び左側上下ダクト部が設けられてもよい。具体的には、例えば４Ｕ毎に１組の左側前後ダクト部及び左側上下ダクト部を設ける場合、左側排気部７２Ｌは、合計１０組の左側前後ダクト部及び左側上下ダクト部により形成される。このとき、各組の左側前後ダクト部の上下方向の寸法は、４倍（＝４Ｕ）されればよい。これに伴い、各組の左側前後ダクト部の開口の上下方向の寸法も４倍されてよい。
【００７４】
また、図５乃至図１１に示すラック２では、高さが１Ｕの装置１０１乃至１４０が搭載されているが、搭載される装置の数は、装置の高さに応じて異なる。例えば、ラック２には、図１及び図４に示した高さが１０Ｕの装置４１乃至４４が搭載されてもよい。この場合、装置４１乃至４４のそれぞれには、１０組の左側前後ダクト部及び左側上下ダクト部が割当てられることになる。また、ラック２には、高さの異なる装置が搭載されてもよい。例えば、ラック２には、装置１０１乃至１１０と、装置４１乃至４３とが搭載されてもよい。
【００７５】
また、図５乃至図１１に示すラック２では、左側上下ダクト部８０１Ｌ乃至８４０Ｌは、それぞれ、左側前後ダクト部７０１Ｌ乃至７４０Ｌのそれぞれの左側面に接続される。しかしながら、左側上下ダクト部８０１Ｌ乃至８４０Ｌは、それぞれ、左側前後ダクト部７０１Ｌ乃至７４０Ｌのそれぞれの上面に接続されてもよい。この場合、左側前後ダクト部７１１Ｌ乃至７２０Ｌは、左右方向の幅２Ｗを有し、左側前後ダクト部７２１Ｌ乃至７３０Ｌは、左右方向の幅３Ｗを有し、左側前後ダクト部７３１Ｌ乃至７４０Ｌは、左右方向の幅４Ｗを有する。この場合、左側上下ダクト部８０１Ｌは、左側前後ダクト部７０１Ｌの上面に開口を形成することで置換されてもよい。
【００７６】
図１２は、他の一例によるラック３の内部を概略的に示す正面図である。図１３は、ラック３の内部を概略的に示す上面図の一例を示し、図１４は、ラック３の内部を概略的に示す上面図の他の一例を示す。
【００７７】
ラック３は、左側排気部７３Ｌ及び右側排気部７３Ｒが、上述したラック１と異なる。他の構成は、同様であり、同一の参照符合を付して説明を省略する。
【００７８】
左側排気部７３Ｌは、図１２に示すように、左側前後ダクト部７５１Ｌ乃至７５４Ｌと、左側上下ダクト部８５１Ｌ乃至８５４Ｌとを含む。
【００７９】
右側排気部７３Ｒは、図１２に示すように、右側前後ダクト部７５１Ｒ乃至７５４Ｒと、右側上下ダクト部８５１Ｒ乃至８５４Ｒとを含む。
【００８０】
以下では、代表として、右側排気部７３Ｒについて詳細に説明するが、左側排気部７３Ｌについても同様である。左側排気部７３Ｌは、右側排気部７３Ｒに対して左右対称な関係を有する。
【００８１】
右側前後ダクト部７５１Ｒ乃至７５４Ｒは、それぞれ、装置４１乃至４４のそれぞれの右側面の排気口５５Ｒ（図３参照）に接続される。右側前後ダクト部７５１Ｒ乃至７５４Ｒは、上述した右側前後ダクト部７０１Ｒ乃至７４０Ｒと同様に、前後方向に延在する。右側前後ダクト部７５１Ｒ乃至７５４Ｒは、開口７５１１Ｒ乃至７５４１Ｒをそれぞれを有する。開口７５１１Ｒ乃至７５４１Ｒの位置や大きさは任意である。尚、開口７５１１Ｒ乃至７５４１Ｒは、それぞれ、右側前後ダクト部７０１Ｒ乃至７４０Ｒのそれぞれの右側面の全体に亘って形成されてもよい。この場合、右側前後ダクト部７５１Ｒ乃至７５４Ｒは、それぞれ、右側上下ダクト部８５１Ｒ乃至８５４Ｒのそれぞれの下端により形成されてもよい。
【００８２】
右側上下ダクト部８５１Ｒ乃至８５４Ｒは、それぞれ、下端側で右側前後ダクト部７５１Ｒ乃至７５４Ｒのそれぞれに連通する。即ち、右側上下ダクト部８５１Ｒは、開口７５１１Ｒを介して右側前後ダクト部７５１Ｒに連通し、右側上下ダクト部８５２Ｒは、開口７５２１Ｒを介して右側前後ダクト部７５２Ｒに連通し、以下同様である。
【００８３】
右側上下ダクト部８５１Ｒ乃至８５４Ｒは、それぞれ、対応する右側前後ダクト部７５１Ｒ乃至７５４Ｒに対して右側にオフセットした位置で上下方向に延在する。即ち、右側上下ダクト部８５１Ｒは、右側前後ダクト部７５１Ｒに対して右側にオフセットし、右側上下ダクト部８５２Ｒは、右側前後ダクト部７５２Ｒに対して右側にオフセットし、以下同様である。右側上下ダクト部８５１Ｒ乃至８５４Ｒは、それぞれ、対応する右側前後ダクト部７５１Ｒ乃至７５４Ｒのそれぞれの右側面に接続される。
【００８４】
右側上下ダクト部８５１Ｒ乃至８５４Ｒは、それぞれ、ラック３の上部まで上方に延在し、上側に開口を有する。即ち、右側上下ダクト部８５１Ｒ乃至８５４Ｒは、天井側に開口する。これにより、装置４１乃至４４内の空気は、装置４１乃至４４の右側面から右側排気部７３Ｒを介してラック３の上部から排気される。
【００８５】
右側上下ダクト部８５１Ｒ乃至８５４Ｒは、それぞれ、高さがｈ１乃至ｈ４［ｍｍ］であり、左右方向の寸法がＷ１乃至Ｗ４［ｍｍ］である。尚、右側上下ダクト部８５１Ｒ乃至８５４Ｒのそれぞれの前後方向の寸法ｄ１乃至ｄ４［ｍｍ］（図１３参照）は、任意であり、例えば、装置４１乃至４４の前後方向の寸法と略同一であってよい。
【００８６】
各寸法ｈ１乃至ｈ４及びＷ１乃至Ｗ４は、任意であるが、好ましくは、通風抵抗が同一になるように設定される。ここで、通風抵抗Ｒは、以下の式で表される。
Ｒ＝Ｌ／Ｓ２            式（１）
ここで、Ｌは、通風長さであり、ｈ１乃至ｈ４が略対応する。Ｓは、右側上下ダクト部８５１Ｒ乃至８５４Ｒの断面積であり、例えば右側上下ダクト部８５１Ｒの場合は、Ｓ＝ｄ１×Ｗ１となる。
【００８７】
右側上下ダクト部８５１Ｒ乃至８５４Ｒの通風抵抗を同一にする方法としては、例えば図１３に示すように、前後方向の寸法ｄ１乃至ｄ４を同一にしつつ、左右方向の寸法Ｗ１乃至Ｗ４を変更してもよい。或いは、図１４に示すように、左右方向の寸法Ｗ１乃至Ｗ４を同一にしつつ、前後方向の寸法ｄ１乃至ｄ４を変更してもよい。
【００８８】
具体的には、図１３に示す例では、ｈ１=470［ｍｍ］、Ｗ１＝12［ｍｍ］、ｄ１＝740［ｍｍ］とすると、式（１）から、右側上下ダクト部８５１Ｒの通風抵抗Ｒは、Ｒ＝0.000006となる。この場合、右側上下ダクト部８５４Ｒについては、ｈ４=1,878［ｍｍ］、Ｗ４＝24［ｍｍ］、ｄ４＝740［ｍｍ］とすると、通風抵抗Ｒは、Ｒ＝0.000006となる。同様に、右側上下ダクト部８５２Ｒについては、ｈ２=939［ｍｍ］、Ｗ２＝17［ｍｍ］、ｄ２＝740［ｍｍ］とすると、通風抵抗Ｒは、Ｒ＝0.000006となる。同様に、右側上下ダクト部８５３Ｒについては、ｈ３=1,409［ｍｍ］、Ｗ３＝21［ｍｍ］、ｄ３＝740［ｍｍ］とすると、通風抵抗Ｒは、Ｒ＝0.000006となる。
【００８９】
また、図１４に示す例では、ｈ１=470［ｍｍ］、Ｗ１＝２５［ｍｍ］、ｄ１＝３５７［ｍｍ］とすると、式（１）から、右側上下ダクト部８５１Ｒの通風抵抗Ｒは、Ｒ＝0.000006となる。この場合、右側上下ダクト部８５４Ｒについては、ｈ４=1,878［ｍｍ］、Ｗ４＝２５［ｍｍ］、ｄ４＝７１３［ｍｍ］とすると、通風抵抗Ｒは、Ｒ＝0.000006となる。同様に、右側上下ダクト部８５２Ｒについては、ｈ２=939［ｍｍ］、Ｗ２＝２５［ｍｍ］、ｄ２＝５０４［ｍｍ］とすると、通風抵抗Ｒは、Ｒ＝0.000006となる。同様に、右側上下ダクト部８５３Ｒについては、ｈ３=1,409［ｍｍ］、Ｗ３＝２５［ｍｍ］、ｄ３＝６１８［ｍｍ］とすると、通風抵抗Ｒは、Ｒ＝0.000006となる。
【００９０】
図１２に示すラック３によれば、上述したラック１と同様、ラック３の前面側及び背面側の双方から吸気が実現されるので、比較的大きな吸気用の開口面積を確保することができる。また、ラック本体３０の両側面に対して左側排気部７３Ｌ及び右側排気部７３Ｒを設けて上方に向けて排気を行うので（図１２の矢印参照）、比較的大きな排気用の開口面積を確保することができる。これにより、効率的な冷却を実現することが可能となる。
【００９１】
また、図１２に示すラック３によれば、右側前後ダクト部７５１Ｒ乃至７５４Ｒが設けられるので、右側上下ダクト部８５１Ｒ乃至８５４Ｒの前後方向の配置自由度が高くなる。即ち、右側前後ダクト部７５１Ｒ乃至７５４Ｒは、上述の如く、前後方向に延在するので、右側上下ダクト部８５１Ｒ乃至８５４Ｒの前後方向の配置自由度が高くなる。従って、図１２に示す構成において、図５乃至図１１に示すラック２と同様に、右側上下ダクト部８５１Ｒ乃至８５４Ｒは、前後方向にオフセットしながら同一の左右位置で上方に延在することも可能である。この場合、右側上下ダクト部８５１Ｒ乃至８５４Ｒを効率的に配置することができ、ラック３の小型化を図りつつ、効率的な冷却を実現することが可能となる。
【００９２】
また、図１２に示すラック３において、図１３及び図１４を参照して上述したように、右側上下ダクト部８５１Ｒ乃至８５４Ｒが同一の通風抵抗を有するように形成された場合には、装置４１乃至４４間における排気能力の差異を低減することができる。これにより、装置４１乃至４４の均一な冷却を図ることができる。
【００９３】
図１５は、他の一例によるラック４の内部を概略的に示す正面図である。図１６は、図１５のＸ部の拡大図である。
【００９４】
ラック４は、左側排気部７４Ｌ及び右側排気部７４Ｒが、上述したラック１と異なる。他の構成は、同様であり、同一の参照符合を付して説明を省略する。
【００９５】
左側排気部７４Ｌは、図１５に示すように、左側上下ダクト部８６１Ｌ乃至８６４Ｌを含む。
【００９６】
右側排気部７４Ｒは、図１５に示すように、右側上下ダクト部８６１Ｒ乃至８６４Ｒを含む。
【００９７】
以下では、代表として、右側排気部７４Ｒについて詳細に説明するが、左側排気部７４Ｌについても同様である。左側排気部７４Ｌは、右側排気部７４Ｒに対して左右対称な関係を有する。
【００９８】
右側上下ダクト部８６１Ｒ乃至８６４Ｒは、それぞれ、装置４１乃至４４のそれぞれの右側面の排気口５５Ｒ（図３参照）に接続される。右側上下ダクト部８６１Ｒ乃至８６４Ｒは、それぞれ、下端から斜め上方に延在し、その後、鉛直方向に平行に上方へと延在する。右側上下ダクト部８６１Ｒ乃至８６４は、それぞれ、ラック４の上部まで上方に延在し、上側に開口を有する。即ち、右側上下ダクト部８６１Ｒ乃至８６４は、天井側に開口する。これにより、装置４１乃至４４内の空気は、装置４１乃至４４の右側面から右側排気部７４Ｒを介してラック４の上部から排気される。この際、右側上下ダクト部８６１Ｒ乃至８６４Ｒが斜め上方に延在する区間を備えることで、排気口５５Ｒから出る空気を上方へと排気し易くすることができる。
【００９９】
右側上下ダクト部８６１Ｒ乃至８６４Ｒは、それぞれ、断面積が一定でなく、上流側から下流側に向かって断面積が急減する部位を備える。具体的には、図１６を参照して右側上下ダクト部８６４Ｒを代表例として説明すると、右側上下ダクト部８６４Ｒは、本体部８６４１Ｒと、接続部８６４２Ｒとを含む。本体部８６４１Ｒは、鉛直方向に平行に上方へと延在し、接続部８６４２Ｒは、排気口５５Ｒから斜め上方に延在する。接続部８６４２Ｒから本体部８６４１Ｒへと遷移する部位の断面積Ｓ１は、本体部８６４１Ｒの断面積Ｓ２よりも大きく設定される。即ち、本体部８６４１Ｒの入口にて、右側上下ダクト部８６の断面積が小さくなる。これにより、本体部８６４１Ｒ内を通る空気の流速を高めることができ、排気を効率化することができる。
【０１００】
図１５及び図１６に示すラック４によれば、上述したラック１と同様、ラック４の前面側及び背面側の双方から吸気が実現されるので、比較的大きな吸気用の開口面積を確保することができる。また、ラック本体３０の両側面に対して左側排気部７４Ｌ及び右側排気部７４Ｒを設けて上方に向けて排気を行うので（図１５の矢印参照）、比較的大きな排気用の開口面積を確保することができる。これにより、効率的な冷却を実現することが可能となる。
【０１０１】
また、図１５及び図１６に示すラック４によれば、右側上下ダクト部８６１Ｒ乃至８６４Ｒは、斜め上方に延在する区間を備えるので、装置４１乃至４４の排気口５５Ｒから出る空気を上方へと排気し易くすることができる。また、右側上下ダクト部８６１Ｒ乃至８６４Ｒは、斜め上方に延在する区間の終端部で断面積が低減されるので、鉛直上方へ向かう空気の流速を高め、排気効率を高めることができる。
【０１０２】
尚、図１５及び図１６に示すラック４は、上述したラック２、３が備えるような左側前後ダクト部及び右側前後ダクト部を備えていないが、かかる左側前後ダクト部及び右側前後ダクト部を備えてもよい。この場合、図５乃至図１１に示すラック２と同様に、右側上下ダクト部８６１Ｒ乃至８６４Ｒは、互いに対して前後方向にオフセットしながら同一の左右位置で上方に延在することも可能である。また、右側上下ダクト部８６１Ｒ乃至８６４Ｒは、それぞれ、対応する右側前後ダクト部に対して右側にオフセットした位置で上下方向に延在してよい。
【０１０３】
図１７は、他の一例によるラック５の内部を概略的に示す正面図である。図１８は、ラック５の内部を概略的に示す側面図である。図１９は、ラック５の内部を概略的に示す上面図である。図１９において、（Ａ）は、図１７のラインＡ−Ａに沿った断面図であり、（Ｂ）は、図１７のラインＢ−Ｂに沿った断面図であり、（Ｃ）は、図１７のラインＣ−Ｃに沿った断面図であり、（Ｄ）は、図１７のラインＤ−Ｄに沿った断面図である。
【０１０４】
ラック５は、左側排気部７５Ｌ及び右側排気部７５Ｒが、上述したラック１と異なる。他の構成は、同様であり、同一の参照符合を付して説明を省略する。
【０１０５】
左側排気部７５Ｌは、図１７に示すように、左側前後ダクト部７７１Ｌ乃至７７４Ｌと、左側上下ダクト部８７１Ｌ乃至８７４Ｌとを含む。
【０１０６】
右側排気部７５Ｒは、図１２に示すように、右側前後ダクト部７７１Ｒ乃至７７４Ｒと、右側上下ダクト部８７１Ｒ乃至８７４Ｒとを含む。
【０１０７】
以下では、代表として、左側排気部７５Ｌについて詳細に説明するが、右側排気部７５Ｒについても同様である。右側排気部７５Ｒは、左側排気部７５Ｌに対して左右対称な関係を有する。
【０１０８】
左側前後ダクト部７７１Ｌ乃至７７４Ｌは、それぞれ、装置４１乃至４４のそれぞれの左側面の排気口５５Ｌ（図３参照）に接続される。左側前後ダクト部７７１Ｌ乃至７７４Ｌは、前後方向に延在する。左側前後ダクト部７７１Ｌ乃至７７４Ｌは、好ましくは、図１８及び図１９に示すように、それぞれ、前後方向で装置４１乃至４４の一端から他端まで延在する。
【０１０９】
左側前後ダクト部７７１Ｌ乃至７７４Ｌの上下方向の寸法は任意であるが、図１７に示すように、装置４１乃至４４の同寸法と略同一であってよい。左側前後ダクト部７７１Ｌ乃至７７４Ｌの左右方向の寸法は、任意であるが、図１７に示すように、下方の左側前後ダクト部の方が上方の左側前後ダクト部よりも大きい寸法を有してよい。具体的には、上から２番目の左側前後ダクト部７７２Ｌは、１番目の左側前後ダクト部７７１Ｌの左右方向の寸法に、左側上下ダクト部８７１Ｌの左右方向の寸法を足し合わせた寸法であってよい。同様に、上から３番目の左側前後ダクト部７７３Ｌは、左側前後ダクト部７７１Ｌの左右方向の寸法に、左側上下ダクト部８７１Ｌの左右方向の寸法及び左側上下ダクト部８７２Ｌの左右方向の寸法を足し合わせた寸法であってよい。同様に、上から４番目の左側前後ダクト部７７３Ｌは、左側前後ダクト部７７１Ｌの左右方向の寸法に、左側上下ダクト部８７１Ｌ乃至８７３Ｌの左右方向の寸法の合計を足し合わせた寸法であってよい。
【０１１０】
左側前後ダクト部７７１Ｌ乃至７７４Ｌは、図１８に示すように、開口７７１１Ｌ乃至７７４１Ｌをそれぞれを有する。開口７５１１Ｌ乃至７５４１Ｌの形状は任意であるが、例えば図１８に示すように、円形であってよい。尚、図１８に示す例では、開口７５１１Ｌ乃至７５４１Ｌは、対応する冷却ファン５８の位置に対応して、前後方向の中央位置に形成されているが、冷却ファン５８の位置に対して前後方向でオフセットして配置されてもよい。
【０１１１】
左側上下ダクト部８７１Ｌ乃至８７４Ｌは、それぞれ、下端側で左側前後ダクト部７７１Ｌ乃至７７４Ｌのそれぞれに連通する。即ち、左側上下ダクト部８７１Ｌは、開口７７１１Ｌを介して左側前後ダクト部７７１Ｌに連通し、左側上下ダクト部８７２Ｌは、開口７７２１Ｌを介して左側前後ダクト部７７２Ｌに連通し、以下同様である。
【０１１２】
左側上下ダクト部８７１Ｌ乃至８７４Ｌは、それぞれ、対応する左側前後ダクト部７７１Ｌ乃至７７４Ｌの左側面に接続される。即ち、左側上下ダクト部８７１Ｌは、左側前後ダクト部７７１Ｌの左側面に接続され、左側上下ダクト部８７２Ｌは、左側前後ダクト部７７２Ｌの左側面に接続され、以下同様である。
【０１１３】
左側上下ダクト部８７１Ｌ乃至８７４Ｌは、それぞれ、ラック５の上部まで上方に延在し、上側に開口を有する。即ち、左側上下ダクト部８７１Ｌ乃至８７４Ｌは、天井側に開口する。これにより、装置４１乃至４４内の空気は、装置４１乃至４４の左側面から左側排気部７５Ｌを介してラック５の上部から排気される。
【０１１４】
左側上下ダクト部８７１Ｌ乃至８７４Ｌは、図１９に示すように、左右方向で外側の左側上下ダクト部がその内側の左側上下ダクト部に隣接する。即ち、左右方向で最も外側の左側上下ダクト部８７４Ｌは、それよりも内側の左側上下ダクト部８７３Ｌの左側面に隣接し、左側上下ダクト部８７３Ｌは、それよりも内側の左側上下ダクト部８７２Ｌの左側面に隣接し、以下同様である。左右方向で最も内側の左側上下ダクト部８７１Ｌは、左側前後ダクト部７７１Ｌの左側面に隣接する。
【０１１５】
左側上下ダクト部８７１Ｌ乃至８７４Ｌは、図１８及び図１９に示すように、左右方向で外側の左側上下ダクト部の方が内側の左側上下ダクト部よりも前後方向の寸法が大きくなる態様で、形成される。具体的には、左右方向で最も内側の左側上下ダクト部８７１Ｌの前後方向の寸法は、装置４１の前後方向の中央部の寸法に対応し、それよりも外側の左側上下ダクト部８７２Ｌは、左側上下ダクト部８７１Ｌの前後方向の寸法よりも大きく、以下同様である。一番下の左側上下ダクト部８７４Ｌは、前後方向で装置４１乃至４４の一端から他端まで延在する。従って、一番下の左側上下ダクト部８７４Ｌは、装置４１乃至４４の前後方向の寸法と略同一の前後方向の寸法を有する。但し、左側上下ダクト部８７４Ｌの前後方向の寸法は、装置４１乃至４４の前後方向の寸法よりも小さくてもよい。
【０１１６】
左側上下ダクト部８７２Ｌ乃至８７４Ｌは、図１８及び図１９に示すように、左右方向でそれぞれの内側の左側上下ダクト部の前後方向の側方を通って、左右方向に延在する。具体的には、左側上下ダクト部８７２Ｌは、左側上下ダクト部８７１Ｌの前後方向の側方を通って、装置４１に係る左側前後ダクト部７７１Ｌの左側面まで延在する。左側上下ダクト部８７２Ｌは、上下方向で左側上下ダクト部８７１Ｌと重なる領域では、左側上下ダクト部８７１Ｌを左側、前側及び後側の３方から覆う。同様に、左側上下ダクト部８７３Ｌは、左側上下ダクト部８７２Ｌの前後方向の側方を通って、装置４１乃至４２に係る左側前後ダクト部７７１Ｌ乃至７７２Ｌの左側面まで延在する。左側上下ダクト部８７３Ｌは、上下方向で左側上下ダクト部８７２Ｌと重なる領域では、左側上下ダクト部８７２Ｌを左側、前側及び後側の３方から覆う。同様に、左側上下ダクト部８７４Ｌは、左側上下ダクト部８７３Ｌの前後方向の側方を通って、装置４１乃至４３に係る左側前後ダクト部７７１Ｌ乃至７７３Ｌの左側面まで延在する。左側上下ダクト部８７４Ｌは、上下方向で左側上下ダクト部８７３Ｌと重なる領域では、左側上下ダクト部８７３Ｌを左側、前側及び後側の３方から覆う。
【０１１７】
左側上下ダクト部８７１Ｌ乃至８７４Ｌは、任意の断面形状を有してよいが、図１９に示す例では、左右方向の内側（即ち右側）が下底（＞上底）となる台形の断面形状を有する。但し、左側上下ダクト部８７２Ｌ乃至８７４Ｌは、上下方向で内側の左側上下ダクト部８７１Ｌ乃至８７３Ｌとそれぞれ重なる領域においては、図９に示すように、自身の断面形状から、内側の左側上下ダクト部の断面形状を切り抜いた断面形状となる。従って、左側上下ダクト部８７１Ｌ乃至８７４Ｌのそれぞれの台形の断面積をＳ'８７１Ｌ乃至Ｓ'８７４Ｌとし、左側上下ダクト部８７１Ｌ乃至８７４Ｌの断面積をＳ８７１Ｌ乃至Ｓ８７４Ｌとしたとき、以下の関係となる。
Ｓ８７１Ｌ＝Ｓ'８７１Ｌ
Ｓ８７２Ｌ＝Ｓ'８７２Ｌ−Ｓ'８７１Ｌ
Ｓ８７３Ｌ＝Ｓ'８７３Ｌ−Ｓ'８７２Ｌ
Ｓ８７４Ｌ＝Ｓ'８７４Ｌ−Ｓ'８７３Ｌ
左側上下ダクト部８７１Ｌ乃至８７４Ｌは、好ましくは、通風抵抗が同一になるように形成される。通風抵抗は、上記の式（１）で算出することができる。この場合、左側上下ダクト部８７１Ｌ乃至８７４Ｌは、台形断面の上底の長さ、下底の長さ及び高さを調整することで、通風抵抗が同一になるように形成されてよい。
【０１１８】
左側上下ダクト部８７１Ｌ乃至８７４Ｌは、任意の方法で形成されてもよいが、図１７乃至図１９に示す例では、左側上下ダクト部８７１Ｌ乃至８７４Ｌは、仕切り板８１Ｌ乃至８４Ｌにより形成される。仕切り板８１Ｌ乃至８４Ｌは、それぞれ、図１９に示すように、台形の下底を除く３辺を形成する断面（上面視の断面）を持つ板材であってよい。仕切り板８１Ｌ乃至８３Ｌのそれぞれの下縁は、それぞれ、装置４２乃至４４に係る左側前後ダクト部７７２Ｌ乃至７７４Ｌの上面に接続されてよい。仕切り板８４Ｌは、ラック５の左側面を形成する板材を兼ねてもよい。
【０１１９】
図１７乃至図１９に示すラック５によれば、上述したラック１と同様、ラック４の前面側及び背面側の双方から吸気が実現されるので、比較的大きな吸気用の開口面積を確保することができる。また、ラック本体３０の両側面に対して左側排気部７５Ｌ及び右側排気部７５Ｒを設けて上方に向けて排気を行うので、比較的大きな排気用の開口面積を確保することができる。これにより、効率的な冷却を実現することが可能となる。
【０１２０】
また、図１７乃至図１９に示すラック５によれば、左側前後ダクト部７７１Ｌ乃至７７４Ｌが設けられるので、左側上下ダクト部８７１Ｌ乃至８７４Ｌの前後方向の配置自由度が高くなる。即ち、左側前後ダクト部７７１Ｌ乃至７７４Ｌは、上述の如く、前後方向に延在するので、左側上下ダクト部８７１Ｌ乃至８７４Ｌの前後方向の配置自由度が高くなる。
【０１２１】
また、図１７乃至図１９に示すラック５によれば、左側上下ダクト部８７２Ｌ乃至８７４Ｌは、左右方向でそれぞれの内側の左側上下ダクト部の前後方向の側方まで延在する。これにより、高さ方向の寸法が大きくなる左側上下ダクト部８７２Ｌ乃至８７４Ｌの断面積を効率的に増加することができ、排気効率を高めることができる。これにより、ラック３の小型化を図りつつ、効率的な冷却を実現することが可能となる。
【０１２２】
また、図１７乃至図１９に示すラック５において、上述の如く、左側上下ダクト部８７１Ｌ乃至８７４Ｌが同一の通風抵抗を有するように形成された場合には、装置４１乃至４４間における排気能力の差異を低減することができる。これにより、装置４１乃至４４の均一な冷却を図ることができる。
【０１２３】
図２０は、他の一例によるラック６の内部を概略的に示す上面図である。
【０１２４】
ラック６は、左側上下ダクト部の断面形状だけが上述したラック５と異なる。他の構成は、同様であり、同一の参照符合を付して説明を省略する。
【０１２５】
以下では、代表として、左側排気部７５Ｌ'について詳細に説明するが、右側排気部７５Ｒ'についても同様である。右側排気部７５Ｒ'は、左側排気部７５Ｌ'に対して左右対称な関係を有する。
【０１２６】
左側上下ダクト部８７１Ｌ'乃至８７４Ｌ'は、左右方向の内側（即ち右側）が底辺となる三角形の断面形状を有する。但し、左側上下ダクト部８７２Ｌ'乃至８７４Ｌ'は、上下方向で内側の左側上下ダクト部８７１Ｌ'乃至８７３Ｌ'とそれぞれ重なる領域においては、図１９に示すように、自身の断面形状から、内側の左側上下ダクト部の断面形状を切り抜いた断面形状となる。従って、左側上下ダクト部８７１Ｌ'乃至８７４Ｌ'のそれぞれの三角形の断面積をＳ'８７１Ｌ'乃至Ｓ'８７４Ｌ'とし、左側上下ダクト部８７１Ｌ'乃至８７４Ｌ'の断面積をＳ８７１Ｌ'乃至Ｓ８７４Ｌ'としたとき、以下の関係となる。
Ｓ８７１Ｌ'＝Ｓ'８７１Ｌ'
Ｓ８７２Ｌ'＝Ｓ'８７２Ｌ'−Ｓ'８７１Ｌ'
Ｓ８７３Ｌ'＝Ｓ'８７３Ｌ'−Ｓ'８７２Ｌ'
Ｓ８７４Ｌ'＝Ｓ'８７４Ｌ'−Ｓ'８７３Ｌ'
左側上下ダクト部８７１Ｌ'乃至８７４Ｌ'は、好ましくは、通風抵抗が同一になるように形成される。通風抵抗は、上記の式（１）で算出することができる。この場合、左側上下ダクト部８７１Ｌ'乃至８７４Ｌ'は、三角形断面の底辺の長さ及び高さを調整することで、通風抵抗が同一になるように形成されてよい。
【０１２７】
左側上下ダクト部８７１Ｌ'乃至８７４Ｌ'は、任意の方法で形成されてもよいが、図２０に示す例では、左側上下ダクト部８７１Ｌ'乃至８７４Ｌ'は、仕切り板８１Ｌ'乃至８４Ｌ'により形成される。仕切り板８１Ｌ'乃至８４Ｌ'は、それぞれ、図２０に示すように、三角形の底辺を除く２辺を形成する断面（上面視の断面）を持つ板材であってよい。仕切り板８１Ｌ'乃至８３Ｌ'のそれぞれの下縁は、それぞれ、装置４２乃至４４に係る左側前後ダクト部７７２Ｌ乃至７７４Ｌの上面に接続されてよい。仕切り板８４Ｌ'は、ラック６の左側面を形成する板材を兼ねてもよい。
【０１２８】
図２０に示すラック６によれば、図１７乃至図１９に示したラック５と同様の効果が奏される。
【０１２９】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１３０】
例えば、図１乃至図４に示すラック１では、高さが１０Ｕの装置４１乃至４４が搭載されているが、搭載される装置の高さは任意である。例えば、ラック１には、上述した高さが１Ｕの装置１０１乃至１４０が搭載されてもよい。また、ラック１には、高さの異なる装置が搭載されてもよい。例えば、ラック１には、装置１０１乃至１１０と、装置４１乃至４３とが搭載されてもよい。これらは、他のラック３乃至６に対しても同様である。
【０１３１】
また、図１乃至図４に示すラック１では、左側排気部７１Ｌ及び右側排気部７１Ｒの双方を備えているが、いずれか一方のみが省略されてもよい。或いは、左側排気部７１Ｌ及び右側排気部７１Ｒのいずれか一方のみが、他の異なる構成に置換されてもよい。これらは、他のラック２乃至６に対しても同様である。
【０１３２】
なお、以上の実施例に関し、さらに以下の付記を開示する。
（付記１）
ラック本体と、
前記ラック本体内に上下方向に積層される態様で搭載される複数の装置と、
上下方向に直交する任意の方向を前後方向としたとき、前記ラック本体の前側に設けられる前側吸気部と、
前記ラック本体の後側に設けられる後側吸気部と、
上下方向及び前後方向の双方に直交する左右方向としたとき、左右方向で前記ラック本体の第１側に設けられる第１排気部とを含み、
前記第１排気部は、
前記複数の装置のうちの第１の少なくとも１つの装置における前記第１側の側面に対して設けられ、前記第１の少なくとも１つの装置の排気口に連通し、前後方向に延在する第１前後ダクト部と
前記複数の装置のうちの第２の少なくとも１つの装置における前記第１側の側面に対して設けられ、前記第２の少なくとも１つの装置の排気口に連通し、前後方向に延在する第２前後ダクト部と、
前記第１前後ダクト部に連通し、上方に延在し、上側に開口する第１上下ダクト部と、
前記第２前後ダクト部に連通し、前記第２前後ダクト部に対して左右方向でオフセットした位置で上方に延在し、上側に開口する第２上下ダクト部とを含む、ラック。
（付記２）
前記第２上下ダクト部は、前記第１上下ダクト部に対して左右方向でオフセットした位置で上方に延在する、付記１に記載のラック。
（付記３）
前記第１前後ダクト部は、前記第１の少なくとも１つの装置の前後方向の一端から他端まで延在し、
前記第２前後ダクト部は、前記第２の少なくとも１つの装置の前後方向の一端から他端まで延在する、付記１に記載のラック。
（付記４）
前記第１排気部は、
前記複数の装置のうちの第３の少なくとも１つの装置における前記第１側の側面に対して設けられ、前記第３の少なくとも１つの装置の排気口に連通し、前後方向に延在する第３前後ダクト部と、
前記第３前後ダクト部に連通し、前記第１上下ダクト部と同一の左右方向の位置で上方に延在し、上側に開口する第３上下ダクト部とを含む、付記３に記載のラック。
（付記５）
前記第２前後ダクト部は、前記第１前後ダクト部及び前記第３前後ダクト部よりも下方に配置され、
前記第２上下ダクト部は、前記第１上下ダクト部に対して左右方向で前記第１側にオフセットした位置で上方に延在する、付記４に記載のラック。
（付記６）
前記第１上下ダクト部の前後方向の寸法は、前記第１前後ダクト部の前後方向の寸法よりも小さく、
前記第２上下ダクト部の前後方向の寸法は、前記第２前後ダクト部の前後方向の寸法よりも小さい、付記１〜５のうちのいずれか１項に記載のラック。
（付記７）
前記第２前後ダクト部は、前記第１前後ダクト部よりも下方に配置され、
前記第２上下ダクト部は、前記第１上下ダクト部を前記第１側、前側及び後側の３方から覆う態様で設けられる、付記１に記載のラック。
（付記８）
前記第１上下ダクト部及び前記第２上下ダクト部のそれぞれは、上下方向の長さと、水平方向に切断したときの断面積の自乗との比が同一である、付記１〜７のうちのいずれか１項に記載のラック。
（付記９）
前記第１上下ダクト部及び前記第２上下ダクト部のそれぞれは、通風抵抗が同一になるように形成される、付記１〜７のうちのいずれか１項に記載のラック。
（付記１０）
前記装置のそれぞれは、前記排気口にファンを備える、付記１〜９のうちのいずれか１項に記載のラック。
（付記１１）
左右方向の第２側の側面に対して設けられる第２排気部を含み、
前記第２排気部は、前記第１排気部に対して左右対称の構成を有する、付記１〜１０のうちのいずれか１項に記載のラック。
（付記１２）
ラック本体と、
前記ラック本体内に上下方向に積層される態様で搭載される複数の装置と、
上下方向に直交する任意の方向を前後方向としたとき、前記ラック本体の前側に設けられる前側吸気部と、
前記ラック本体の後側に設けられる後側吸気部と、
上下方向及び前後方向の双方に直交する左右方向としたとき、左右方向で前記ラック本体の第１側に設けられる第１排気部とを含み、
前記第１排気部は、
前記複数の装置のうちの第１の少なくとも１つの装置における前記第１側の側面に対して設けられ、前記第１の少なくとも１つの装置の排気口に連通し、前後方向に延在する第１前後ダクト部と
前記複数の装置のうちの第２の少なくとも１つの装置における前記第１側の側面に対して設けられ、前記第２の少なくとも１つの装置の排気口に連通し、前後方向に延在する第２前後ダクト部と、
前記第１前後ダクト部に連通し、上方に延在し、上側に開口する第１上下ダクト部と、
前記第２前後ダクト部に連通し、前記第１上下ダクト部に対して左右方向でオフセットした位置で上方に延在し、上側に開口する第２上下ダクト部とを含む、ラック。
（付記１３）
ラック本体と、
前記ラック本体内に上下方向に積層される態様で搭載される複数の装置と、
上下方向に直交する任意の方向を前後方向としたとき、前記ラック本体の前側に設けられる前側吸気部と、
前記ラック本体の後側に設けられる後側吸気部と、
上下方向及び前後方向の双方に直交する左右方向としたとき、前記ラック本体の左側に設けられ、前記ラック本体の左側を通って上側に開口する左側排気部と、
前記ラック本体の右側に設けられ、前記ラック本体の右側を通って上側に開口する右側排気部とを含む、ラック。
（付記１４）
前記左側排気部は、
前記複数の装置のうちの第１の少なくとも１つの装置の左側面に対して設けられ、前記第１の少なくとも１つの装置の左側の排気口に連通し、前後方向に延在する第１左側前後ダクト部と、
前記複数の装置のうちの第２の少なくとも１つの装置の左側面に対して設けられ、前記第２の少なくとも１つの装置の左側の排気口に連通し、前後方向に延在する第２左側前後ダクト部と、
前記第１左側前後ダクト部に連通し、前記ラック本体の左側を通って上方に延在し、上側に開口する第１左側上下ダクト部と、
前記第２左側前後ダクト部に連通し、前記ラック本体の左側を通って上方に延在し、上側に開口する第２左側上下ダクト部とを含み、
前記右側排気部は、
前記第１の少なくとも１つの装置の右側面に対して設けられ、前記第１の少なくとも１つの装置の右側の排気口に連通し、前後方向に延在する第１右側前後ダクト部と、
前記第２の少なくとも１つの装置の右側面に対して設けられ、前記第２の少なくとも１つの装置の右側の排気口に連通し、前後方向に延在する第２右側前後ダクト部と、
前記第１右側前後ダクト部に連通し、前記ラック本体の右側を通って上方に延在し、上側に開口する第１右側上下ダクト部と、
前記第２右側前後ダクト部に連通し、前記ラック本体の右側を通って上方に延在し、上側に開口する第２右側上下ダクト部とを含む、付記１３に記載のラック。
（付記１５）
前記前後ダクト部及び前記上下ダクト部は、高さ方向で所定Ｕ毎に１組設けられ、所定Ｕは、１Ｕ、２Ｕ，４Ｕ，５Ｕ，１０Ｕ及び２０Ｕのうちのいずれかである、付記１〜１４のうちのいずれか１項に記載のラック。
【符号の説明】
【０１３３】
１〜６    ラック
１０    前側吸気部
１２    後側吸気部
３０    ラック本体
４１，４２，４３，４４、１０１〜１４０    装置
５５Ｌ，５５Ｒ    排気口
７１Ｌ、７２Ｌ，７３Ｌ，７４Ｌ，７５Ｌ，７５Ｌ'    左側排気部
７１Ｒ、７２Ｒ，７３Ｒ，７４Ｒ，７５Ｒ，７５Ｒ'    右側排気部
７０１Ｌ〜７４１Ｌ、７５１Ｌ〜７５４Ｌ、７７１Ｌ〜７７４Ｌ    左側前後ダクト部
７０１Ｒ〜７４１Ｒ、７５１Ｒ〜７５４Ｒ、７７１Ｒ〜７７４Ｒ    右側前後ダクト部
８０１Ｌ〜８４１Ｌ、８５１Ｌ〜８５４Ｌ、８６１Ｌ〜８６４Ｌ、８７１Ｌ〜８７４Ｌ、８７１Ｌ'〜８７４Ｌ'    左側上下ダクト部
８０１Ｒ〜８４１Ｒ、８５１Ｒ〜８５４Ｒ、８６１Ｒ〜８６４Ｒ、８７１Ｒ〜８７４Ｒ、８７１Ｒ'〜８７４Ｒ'    右側上下ダクト部
７０１１Ｌ〜７４０１Ｌ、７５１１Ｌ〜７５４１Ｌ、７７１１Ｌ〜７７４１Ｌ    開口
７０１１Ｒ〜７４０１Ｒ、７５１１Ｒ〜７５４１Ｒ、７７１１Ｒ〜７７４１Ｒ    開口
【図１】
2015138886.tif 000003
【図２】
2015138886.tif 000004
【図３】
2015138886.tif 000005
【図４】
2015138886.tif 000006
【図５】
2015138886.tif 000007
【図６】
2015138886.tif 000008
【図７】
2015138886.tif 000009
【図８】
2015138886.tif 000010
【図９】
2015138886.tif 000011
【図１０】
2015138886.tif 000012
【図１１】
2015138886.tif 000013
【図１２】
2015138886.tif 000014
【図１３】
2015138886.tif 000015
【図１４】
2015138886.tif 000016
【図１５】
2015138886.tif 000017
【図１６】
2015138886.tif 000018
【図１７】
2015138886.tif 000019
【図１８】
2015138886.tif 000020
【図１９】
2015138886.tif 000021
【図２０】
2015138886.tif 000022